(57)【特許請求の範囲】
【請求項１】
印字ヘッドと、該印字ヘッドの前方位置に設置されてロール紙から引き出された印字後の供給紙片部を切断する紙片切断手段とを少なくとも備えるプリンタ本体と、
該プリンタ本体側からの引き開きと、装填される前記ロール紙への前記印字ヘッドによる印字を行う際の押し閉じとを可能とすべく、一対の支腕部を介して前記プリンタ本体側に揺動自在に取り付けられるプラテンローラ付きのロール紙カバーとで構成され、
前記紙片切断手段は、前記印字ヘッドの長さ方向に沿わせ、かつ、前記プリンタ本体側にその両側面側を軸支させて回動可能に配設される支持本体部と、該支持本体部の長さ方向にその前端側から刃先を突出させて配置される切断刃とを備えるとともに、
前記支持本体部は、前記両側面に各別に設けられた当接ガイド片を備え、かつ、前記刃先が常に略水平向きとなるように付勢された状態のもとで配置され、
ロール紙カバーの前記支腕部には、その完全施蓋時に前記プラテンローラを前記切断刃よりも内奥に位置させた状態のもとで、前記当接ガイド片と各別に当接して前記刃先を強制的に前記印字ヘッドの発熱面方向と交差する下向きにさせ、完全開蓋時にはその当接状態が解除されて前記刃先を前記ロール紙の出入方向である略水平向きに自動復帰させるための当接部を設けたことを特徴とするロール紙用プリンタ。
【発明の詳細な説明】
【技術分野】
【０００１】
本発明は、装填されているロール紙から引き出された印字後の供給紙片部を切断する紙片切断手段を備えて縦置きされるロール紙用プリンタに関する技術である。
【背景技術】
【０００２】
波形記録計などの計測機器には、記録紙に波形などの必要情報を印字するプリンタを備えているものもあり、この場合に用いられる記録紙としては、感熱紙からなるロール紙が用いられ、プリンタとしては、サーマルプリンタが用いられる例が多い。
【０００３】
そして、ロール紙から引き出された印字後の供給紙片部は、プリンタ本体が備える排出口から排出され、該排出口側に付設されているカッターを用いて切断できようになっている。
【０００４】
しかし、排出口側にカッターを付設する場合には、予めロール紙から供給紙片部を引き出して排出口内を通過させた上で、印字作業を行う必要がある。
【０００５】
この場合、周辺湿度が低い場合には、排出口から印字後の供給紙片部を円滑に送り出すことができるものの、湿度が高い場合には、供給紙片部側も湿気を吸ってその横幅が広がって引っかかりやすくなり、排出口から円滑に送り出せなくなる問題があった。
【０００６】
このため、プリンタのなかには、下記特許文献１にも示されているように、プリンタ本体に対しロール紙カバーを引き開き自在に取り付け、排出口を特に設けることなく閉蓋時のロール紙カバーとプリンタ本体側との間に隙間を確保し、該隙間を利用して印字後の供給紙片部を円滑に送り出し、かつ、プリンタ本体側に固定配置されているカッターで切断することができるようにしたプリンタも既に提案されている。
【特許文献１】特開２００７−４５５５７号公報
【発明の開示】
【発明が解決しようとする課題】
【０００７】
しかし、上記特許文献１に示されているようにプリンタ本体にロール紙カバーを引き開き自在に取り付けるタイプのものは、ロール紙交換などの開蓋時にあっても固定配置されているカッターの刃先が常に下向きとなって露出しているため、これに作業者が誤って手指を接触させてしまうおそれがあるという不都合があった。
【０００８】
本発明は、従来技術にみられた上記課題に鑑み、ロール紙交換時などの開蓋時であっても手指を刃先に触れずらくすることで、作業者が安全裡に作業を遂行できるようにした縦置きタイプのロール紙用プリンタを提供することを目的とする。
【課題を解決するための手段】
【０００９】
本発明は、上記目的を達成すべくなされたものであり、印字ヘッドと、該印字ヘッドの前方位置に設置されてロール紙から引き出された印字後の供給紙片部を切断する紙片切断手段とを少なくとも備えるプリンタ本体と、該プリンタ本体側からの引き開きと、装填される前記ロール紙への前記印字ヘッドによる印字を行う際の押し閉じとを可能とすべく、一対の支腕部を介して前記プリンタ本体側に揺動自在に取り付けられるプラテンローラ付きのロール紙カバーとで構成され、前記紙片切断手段は、前記印字ヘッドの長さ方向に沿わせ、かつ、前記プリンタ本体側にその両側面側を軸支させて回動可能に配設される支持本体部と、該支持本体部の長さ方向にその前端側から刃先を突出させて配置される切断刃とを備えるとともに、前記支持本体部は、前記両側面に各別に設けられた当接ガイド片を備え、かつ、前記刃先が常に略水平向きとなるように付勢された状態のもとで配置され、ロール紙カバーの前記支腕部には、その完全施蓋時に前記プラテンローラを前記切断刃よりも内奥に位置させた状態のもとで、前記当接ガイド片と各別に当接して前記刃先を強制的に前記印字ヘッドの発熱面方向と交差する下向きにさせ、完全開蓋時にはその当接状態が解除されて前記刃先を前記ロール紙の出入方向である略水平向きに自動復帰させるための当接部を設けたことを最も主要な特徴とする。
【発明の効果】
【００１０】
本発明によれば、印字時に下向きに位置していた切断刃の刃先は、ロール紙交換時などのようにロール紙カバーを引き開いた際に、簡単な構成のもとで自動的に略水平方向に位置移動させることができるので、開蓋作業時に作業者が手指を刃先に触れるおそれをそれだけ少なくして、安全裡に作業を遂行することができる。
【発明を実施するための最良の形態】
【００１１】
図１は、本発明の一例につき、ロール紙カバーをプリンタ本体側から引き開いた開蓋状態のもとでロール紙とともに示す全体斜視図である。また、図２は、図１に示す例を示す側面図であり、そのうちの（ａ）はロール紙カバーでプリンタ本体側を完全閉蓋した際の状態を、（ｂ）はロール紙カバーを完全開蓋させた状態をそれぞれ示す。
【００１２】
これらの図によれば、縦置きタイプのロール紙用プリンタ１１の全体は、印字ヘッド１６と、該印字ヘッド１６の前方位置に設置されてロール紙４２から引き出された印字後の供給紙片部を切断する紙片切断手段２３などを備えるプリンタ本体１２と、ロール紙４２を交換する交換する際などのプリンタ本体１２側からの引き開きと、装填されるロール紙４２への印字ヘッド１６による印字を行う際の押し閉じとを可能とすべく、一対の支腕部３４，３５を介してプリンタ本体側に揺動自在に取り付けられるプラテンローラ付きのロール紙カバーとで構成されている。
【００１３】
このうち、プリンタ本体１２は、図示しない波形記録計などの計測機器側に縦置きして組み込むことができる左右一対の側板部１３，１４と、これら側板部１３，１４相互間に架け渡された天板部１５とを備えた略門型形状が付与されて形成されている。
【００１４】
そして、サーマルヘッドからなる印字ヘッド１６は、天板部１５の下面側にその長さ方向（左右方向）に沿わせて配設されている。
【００１５】
ロール紙カバー３２は、ホルダ４３付きのロール紙４２を収容する凹曲カバー本体部３３と、該凹曲カバー本体部３３の左右に配置されてプリンタ本体１２の側板部１３，１４側に揺動自在に連結される一対の支腕部３４，３５とを備えて形成されている。
【００１６】
そして、プラテンローラ３９は、ロール紙カバー３２をプリンタ本体１２側に完全閉蓋して印字できるようにセットした際に、印字ヘッド１６の発熱面側に位置するようにして配設されている。
【００１７】
一方、紙片切断手段２３は、印字ヘッド１６の長さ方向に沿わせて配設される支持本体部２４と、該支持本体部２４の前端２４ａ側から刃先２９を印字ヘッド１６の発熱面方向と交差する下向きに突出させてその長さ方向に配置される切断刃２８とを備えて形成されている。
【００１８】
この場合、支持本体部２４は、ロール紙カバー３２が開かれた開蓋時に刃先２９がロール紙４２の出入方向である略水平向きとなるように常に付勢され、ロール紙カバー３２が閉じられた閉蓋時に刃先２９が下向きとなるように強制的な移動を可能にして配設されている。
【００１９】
すなわち、支持本体部２４は、プリンタ本体１２の両側板部１３，１４に支軸１７を介して回動自在に配設されている。また、支軸１７には、図３に示すように捩りばね１８が介装配置されており、ロール紙カバー３２が完全開蓋状態となった際に、捩りばね１８により刃先２９が常に略水平向きとなる姿勢をとるように付勢した状態で支持本体部２４を軸支している。
【００２０】
しかも、支持本体部２４は、長さ方向（図１では左右方向）での両側面２５，２６に当接ガイド片２７が各別に設けられており、ロール紙カバー３２が両支腕部３４，３５に備える当接部３６がその施蓋時に当接ガイド片２７と当接することで強制的に回転させられ、刃先２９を下向きに配置することができるようになっている。
【００２１】
これを図４に基づいて左側に位置する支腕部３４との関係で具体的に説明する。図４は、紙片切断手段とロール紙カバーとの配置関係を示す説明図であり、そのうちの（ａ）はロール紙カバー３２が完全閉蓋された際の状態を、（ｂ）はロール紙カバー３２の支腕部３４側と支持本体部２４側とが未だ接触状態を保ちつつ開蓋途上にある状態を、（ｃ）は支腕部３４側が支持本体部２４側との接触状態を完全に脱した際の開蓋途上の状態をそれぞれ示す。
【００２２】
図２（ａ）および図４（ａ）に示されているようにロール紙カバー３２が完全施蓋状態にあるときは、支腕部３４が備える当接部３６が捩りばね１８の付勢力に抗して支持本体部２４が側面２５に備える当接ガイド片２７の基端部２７ａを強制的に押し上げる結果、その反対側である前端２４ａ側に位置する切断刃２８もその刃先２９が下方を向いた状態となる。したがって、ロール紙４２から引き出されて印字を終えた供給紙片部は、直上位置にある刃先２９を介していつでも切断できる状態におくことができる。なお、図４（ａ）に示す完全閉蓋時には、プラテンローラを切断刃２８よりも内奥に位置させた状態のもとで、刃先２９の下方に供給紙片部を送り出すための隙間ｓを確保することができるようになっている。
【００２３】
一方、ロール紙４２の交換などのようにロール紙カバー３２を開く必要がある場合には、ロール紙カバー３２側を前方向へと引き開くことにより、図４（ｂ）に示すように支腕部３４，３５が備える当接部３６側と当接ガイド片２７との当接状態は解消されるものの、支腕部３４の先端部３４ａが当接ガイド片２７の基端部２７ａとの当接を維持しているので、刃先２９は依然として下方を向いている。
【００２４】
しかし、支腕部３４の先端部３４ａは、図４（ｃ）に示すようにロール紙カバー３２の開度がより大きくなると、当接ガイド片２７の基端部２７ａとの当接状態が解消され、捩りばね１８の付勢力により支持本体部２４が回転して前端２４ａが持ち上がり、刃先も２９も略水平方向を向くように移動する。
【００２５】
そして、図４（ｃ）に示す状態をさらに進めて図２（ｂ）に示すようにロール紙カバー３２を完全開蓋させ、かつ、プリンタ本体１２側の紙片切断手段２３を刃先２９が略水平方向を向く状態におくことで、手指が刃先２９に触れるおそれをなくして図１に示すように安全裡にロール紙３２を交換することができる。
【図面の簡単な説明】
【００２６】
【図１】本発明の一例につき、ロール紙カバーをプリンタ本体側から引き開いた開蓋状態のもとでロール紙とともに示す全体斜視図。
【図２】図１に示す例を示す側面図であり、そのうちの（ａ）はロール紙カバーでプリンタ本体側を完全閉蓋した際の状態を、（ｂ）はロール紙カバーを完全開蓋させた状態をそれぞれ示す。
【図３】本発明における紙片切断手段の構成例を拡大して示す側面図。の一例についての内部構造を模式的に示す説明図。
【図４】紙片切断手段とロール紙カバーとの配置関係を示す説明図であり、そのうちの（ａ）はロール紙カバーが完全閉蓋された際の状態を、（ｂ）はロール紙カバーの支腕部側と支持本体部側とが未だ接触状態を保ちつつ開蓋途上にある状態を、（ｃ）は支腕部側が支持本体部側との接触状態を脱した際の開蓋途上の状態をそれぞれ示す。
【符号の説明】
【００２７】
１１  ロール紙用プリンタ
１２  プリンタ本体
１３，１４  側板部
１５  天板部
１６  印字ヘッド
１７  支軸
１８  捩りばね
２３  紙片切断手段
２４  支持本体部
２４ａ  前端
２５，２６  側面
２７  当接ガイド片
２７ａ  基端部
２８  切断刃
２９  刃先
３２  ロール紙カバー
３３  凹曲カバー本体部
３４，３５  支腕部
３４ａ  先端部
３６  当接部
３９  プラテンローラ
４２  ロール紙
４３  ホルダ
ｓ  隙間
【図１】
0005297073.tif 000002
【図２】
0005297073.tif 000003
【図３】
0005297073.tif 000004
【図４】
0005297073.tif 000005